(57)【特許請求の範囲】
【請求項１】
調理容器（１）の外側プロファイル（１２）に固定された支持ウェブ（２，２’）と、前記支持ウェブ（２，２’）に調理容器（１）方向へと押し込み固定された取手金具（５）とを備えた、前記調理容器（１）の取手固定部であって、
前記支持ウェブ（２，２’）が、調理容器（１）と一体の取付部（１１，１１’）と、前記取付部（１１，１１’）中に鋳込まれた保持金具（２１，２１’）とを有するとともに、鋳込み前に前記保持金具（２１）に固定され、前記取付部（１１）から前記取手金具（５）の覆わない前記支持ウェブ（２）の領域（６）を分離するように、前記取付部（１１）を前記取手金具（５）方向に制限するシール板（３）をさらに有していることを特徴とする取手固定部。
【請求項２】
前記支持ウェブ（２，２’）が、前記調理容器（１）の使用状態において実質的に垂直で平面の、取手金具（５）の軸にほぼ平行な各々１つのウェブ板（２２ａ，２２ａ’，２２ｂ，２２ｂ’）を有し、
前記保持金具（２１，２１’）が、前記ウェブ板（２２ａ，２２ａ’，２２ｂ，２２ｂ’）の端板（２１ａ，２１ａ’，２１ｂ，２１ｂ’）で構成されている、請求項１に記載の取手固定部。
【請求項３】
前記支持ウェブ（２，２’）が、前記取付部（１１，１１’）の外側でＵ形状になるように、前記ウェブ板（２２ａ，２２ａ’，２２ｂ，２２ｂ’）およびその上部にある胴回り板（２２ｃ）から成る、請求項２に記載の取手固定部。
【請求項４】
少なくとも１つの前記端板（２１ａ’，２１ｂ’）は、当該端板（２１ａ’，２１ｂ’）にほぼ直角に、調理容器（１）に対向するその前端面から角を曲げた保持片（２１ｅ’）を有しており、前記保持片（２１ｅ’）の平面法線が前記取手金具（５）の軸にほぼ平行である、請求項３に記載の取手固定部。
【請求項５】
前記保持片（２１ｅ’）が二次曲面として形成されている、請求項４に記載の取手固定部。
【請求項６】
前記取手金具（５）の軸にほぼ平行な、前記端板（２１ａ，２１ａ’，２１ｂ，２１ｂ’）の少なくとも１つが、孔（２１ｃ，２１ｃ’）として形成された、少なくとも１個の切り欠きを有する、請求項２から５のいずれか１項に記載の取手固定部。
【請求項７】
前記シール板（３）が少なくとも１つの孔（３ｂ）を有し、その中へ前記保持金具（２１）が前記孔（３ｂ）をふさぎながら導入されている、請求項１から６のいずれか１項に記載の取手固定部。
【請求項８】
前記保持金具（２１）は、前記孔（３ｂ）内へのその導入を制限するように前記シール板（３）に当たるストッパー（２２ｄ）を有している、請求項７に記載の取手固定部。
【請求項９】
前記シール板（３）に当たる前記保持金具（２１）がこの位置で固定可能となるように、前記保持金具（２１）は前記取付部（１１）内で前記シール板（３）側の部分に、少なくとも１つの型付け片（２１ｄ）を有している、請求項８に記載の取手固定部。
【請求項１０】
前記シール板（３）が円形の中空シリンダの切片として丸く形成されており、その形状が調理容器（１）の対称軸に関する曲率半径（Ｒ）を持ち、
前記シール板（３）の縁（３ａ）が鋳物塊（１０）に埋め込まれている、請求項１から９のいずれか１項に記載の取手固定部。
【請求項１１】
前記取手金具（５）が支持ウェブ（２，２’）上でバネ部品（４）を用いて固定可能である、請求項１から１０のいずれか１項に記載の取手固定部。
【請求項１２】
前記取手金具（５）によって覆われない、取付部（１１’）に接続した前記ウェブ板（２２ａ，２２ａ’，２２ｂ，２２ｂ’）の領域（６）の外装のために設置されたシース（７）をさらに備え、
前記取付部（１１’）が、その前額面（１１ｃ’）上で取手金具（５）方向に、平らな取付け部分（１１ｄ’）を有しており、
前記取付け部分（１１ｄ’）の円周縁がその上のシース（７）の誘導に使用され、前記シース（７）が取付け部分（１１ｄ’）に接するようになっている、請求項１から６のいずれか１項に記載の取手固定部。
【請求項１３】
前記シース（７）がシール板（３）に当たるようになっている、請求項１から１０のいずれか１項に記載の取手固定部。
【発明の詳細な説明】
【０００１】
【産業上の利用分野】
本発明は、調理容器の外側プロファイルに固定された支持ウェブと、前記支持ウェブに調理容器方向へと押し込み固定された取手金具とを備えた、前記調理容器の取手固定部に関する。
【０００２】
【従来の技術】
調理容器、特に高圧鋳物または鋳付け製で、外側プロファイルに固定可能な支持ウェブを有し、その上で取手金具を調理容器方向に押し込み固定可能である取手固定部は、ドイツ特許明細書第2264244 号から公知である。例えばアルミニウム合金製の鋳造調理容器または同種のものに対するその方法の適用は、調理容器に対する支持ウェブの固定の際に問題が生じる。たいていは調理容器の周囲に特殊な弓型取手が鋳込まれ、それにあとから支持ウェブが鋳付けまたはねじ止めされるかのいずれかである。鋳造工程中に、容器との関係で弓型取手の正確な位置決定が困難であることは、おのずから明らかである。さらに、鋳型内での固定処理が困難であるために、弓型取手が鋳造塊の注入の際に押し流されるおそれがある。したがって、鋳造の失敗が不可避である。
【０００３】
支持ウェブが鋳こまれる弓型取手とともに押し流されると、加工物の応力負荷または変形をもたらし、許容寸法が守れなくなる。このことは、以後の作業設備が加工物の一定寸法に合わせてある大量生産工程で、特に問題である。またこの作業工程は、その際に製作される半製品に対して、生産ラインにおいて次の加工が行なえないおそれも秘めている。
【０００４】
ねじ締結による支持ウェブ固定は、調理容器に直接でも鋳付けた弓型取手にでも、手間を要し、特に長期的にはしっかりした固定を保証しない。
【０００５】
【発明が解決しようとする課題】
それに対し、未公開のドイツ特許出願明細書第4303710.0 号においては、弓型取手を完全に放棄した取手固定部が記載されている。その代わりに、使用位置に垂直な案内溝付きストッパ板が調理容器に鋳付けられ、支持ウェブは案内溝内に押し込み可能な案内レールを有している。案内レールは、適当なストッパまで、場合によって圧入器を用いて導入され、こうして摩擦固定による結合が行なわれる。次に取手金具が取りつけられる。
【０００６】
本発明が解決しようとする課題は、冒頭に詳細に示した構成の取手固定部を形成するのに、支持ウェブを固定するために調理容器に別に鋳込む弓型取手を必要とせず、またそのような固定のために特別な工程も必要としないようにすることである。
【０００７】
【課題を解決するための手段】
請求項１に係る調理容器（１）の取手固定部は、前記調理容器（１）の外側プロファイル（１２）に固定された支持ウェブ（２，２’）と、前記支持ウェブ（２，２’）に調理容器（１）方向へと押し込み固定された取手金具（５）とを備えた取手固定部である。この取手固定部は、前記支持ウェブ（２，２’）が、調理容器（１）と一体の取付部（１１，１１’）と、前記取付部（１１，１１’）中に鋳込まれた保持金具（２１，２１’）とを有するとともに、鋳込み前に前記保持金具（２１）に固定され、前記取付部（１１）から前記取手金具（５）の覆わない前記支持ウェブ（２）の領域（６）を分離するように、前記取付部（１１）を前記取手金具（５）方向に制限するシール板（３）をさらに有していることを特徴としている。
【０００８】
請求項２に係る取手固定部は、請求項１に記載の取手固定部であって、前記支持ウェブ（２，２’）が、前記調理容器（１）の使用状態において実質的に垂直で平面の、取手金具（５）の軸にほぼ平行な各々１つのウェブ板（２２ａ，２２ａ’，２２ｂ，２２ｂ’）を有し、前記保持金具（２１，２１’）が、前記ウェブ板（２２ａ，２２ａ’，２２ｂ，２２ｂ’）の端板（２１ａ，２１ａ’，２１ｂ，２１ｂ’）で構成されている。
【０００９】
請求項３に係る取手固定部は、請求項２に記載の取手固定部であって、前記支持ウェブ（２，２’）が、前記取付部（１１，１１’）の外側でＵ形状になるように、前記ウェブ板（２２ａ，２２ａ’，２２ｂ，２２ｂ’）およびその上部にある胴回り板（２２ｃ）から成る。
【００１０】
請求項４に係る取手固定部は、請求項３に記載の取手固定部であって、少なくとも１つの前記端板（２１ａ’，２１ｂ’）は、当該端板（２１ａ’，２１ｂ’）にほぼ直角に、調理容器（１）に対向するその前端面から角を曲げた保持片（２１ｅ’）を有しており、前記保持片（２１ｅ’）の平面法線が前記取手金具（５）の軸にほぼ平行である。
【００１１】
請求項５に係る取手固定部は、請求項４に記載の取手固定部であって、前記保持片（２１ｅ’）が二次曲面（かぎ形状または皿形状など）として形成されている。
【００１２】
請求項６に係る取手固定部は、請求項２から５のいずれか１項に記載の取手固定部であって、前記取手金具（５）の軸にほぼ平行な、前記端板（２１ａ，２１ａ’，２１ｂ，２１ｂ’）の少なくとも１つが、孔（２１ｃ，２１ｃ’）として形成された、少なくとも１個の切り欠きを有する。
【００１３】
請求項７に係る取手固定部は、請求項１から６のいずれか１項に記載の取手固定部であって、前記シール板（３）が少なくとも１つの孔（３ｂ）を有し、その中へ前記保持金具（２１）が前記孔（３ｂ）をふさぎながら導入されている。
【００１４】
請求項８に係る取手固定部は、請求項７に記載の取手固定部であって、前記保持金具（２１）が、前記孔（３ｂ）内へのその導入を制限するように前記シール板（３）に当たるストッパー（２２ｄ）を有している。
【００１５】
請求項９に係る取手固定部は、請求項８に記載の取手固定部であって、前記シール板（３）に当たる前記保持金具（２１）がこの位置で固定可能となるように、前記保持金具（２１）が前記取付部（１１）内で前記シール板（３）側の部分に、少なくとも１つの型付け片（２１ｄ）を有している。
【００１６】
請求項１０に係る取手固定部は、請求項１から９のいずれか１項に記載の取手固定部であって、前記シール板（３）が円形の中空シリンダの切片として丸く形成されており、その形状が調理容器（１）の対称軸に関する曲率半径（Ｒ）を持ち、前記シール板（３）の縁（３ａ）が鋳物塊（１０）に埋め込まれている。
【００１７】
請求項１１に係る取手固定部は、請求項１から１０のいずれか１項に記載の取手固定部であって、前記取手金具（５）が支持ウェブ（２，２’）上でバネ部品（４）を用いて固定可能である。
【００１８】
請求項１２に係る取手固定部は、請求項１から６のいずれか１項に記載の取手固定部であって、前記取手金具（５）によって覆われない、取付部（１１’）に接続した前記ウェブ板（２２ａ，２２ａ’，２２ｂ，２２ｂ’）の領域（６）の外装のために設置されたシース（７）をさらに備え、前記取付部（１１’）が、その前額面（１１ｃ’）上で取手金具（５）方向に、平らな取付け部分（１１ｄ’）を有しており、前記取付け部分（１１ｄ’）の円周縁がその上のシース（７）の誘導に使用され、前記シース（７）が取付け部分（１１ｄ’）に接するようになっている。
【００１９】
請求項１３に係る取手固定部は、請求項１から１０のいずれか１項に記載の取手固定部であって、前記シース（７）がシール板（３）に当たるようになっている。
【００２０】
【作用】
請求項１に係る調理容器（１）の取手固定部は、支持ウェブ（２，２’）が、調理容器（１）と一体の取付部（１１，１１’）と、前記取付部（１１，１１’）中に鋳込まれた保持金具（２１，２１’）とを有するとともに、鋳込み前に前記保持金具（２１）に固定され、前記取付部（１１）から前記取手金具（５）の覆わない前記支持ウェブ（２）の領域（６）を分離するように、前記取付部（１１）を前記取手金具（５）方向に制限するシール板（３）をさらに有していることを特徴としている。従って、弓型取手と支持ウェブを調理容器の鋳付け部分に取付けるめんどうを避けることができる。その際、鋳造工程中の予め周知の弓型取手と異なり、保持金具が押し流されることはない。
【００２１】
請求項１の構成をさらに請求項２〜１３のようにすれば、さらに顕著な作用が得られる。
【００２２】
【実施例】
本発明の第一実施例を示す図１〜図５において、調理容器１の取手固定部は、調理容器１の外側プロファイル１２に固定された支持ウェブ２と、前記支持ウェブ２に調理容器１方向へと押し込み固定された取手金具５とを備えている。
【００２３】
前記支持ウェブ２は、調理容器１と一体の取付部１１と、前記取付部１１中に鋳込まれた保持金具２１とを有している。また、前記支持ウェブ２は、前記調理容器１の使用状態において実質的に垂直で平面の、取手金具５の軸にほぼ平行な各々１つのウェブ板２２ａ，２２ｂを有している。前記保持金具２１は、前記ウェブ板２２ａ，２２ｂの端板２１ａ，２１ｂで構成されている。前記支持ウェブ２は、前記取付部１１の外側でＵ形状になるように、前記ウェブ板２２ａ，２２ｂおよびその上部にある胴回り板２２ｃから成る。前記取手金具５の軸にほぼ平行な、前記端板２１ａ，２１ｂの少なくとも１つが、孔２１ｃとして形成された、少なくとも１個の切り欠きを有している。
【００２４】
前記支持ウエブ２は、鋳込み前に前記保持金具２１に固定され、前記取付部１１から前記取手金具５の覆わない前記支持ウェブ２の領域６を分離するように、前記取付部１１を前記取手金具５方向に制限するシール板３をさらに有している。
【００２５】
前記シール板３は、少なくとも１つの孔３ｂを有し、その中へ前記保持金具２１が前記孔３ｂをふさぎながら導入されている。
【００２６】
前記保持金具２１は、前記孔３ｂ内へのその導入を制限するように前記シール板３に当たるストッパー２２ｄを有している。
【００２７】
前記シール板３に当たる前記保持金具２１がこの位置で固定可能となるように、前記保持金具２１は前記取付部１１内で前記シール板３側の部分に、少なくとも１つの型付け片２１ｄを有している。
【００２８】
前記シール板３は円形の中空シリンダの切片として丸く形成されており、その形状が調理容器１の対称軸に関する曲率半径Ｒを持っている。前記シール板３の縁３ａは、鋳物塊１０に埋め込まれている。
【００２９】
前記取手金具５は、支持ウェブ２上でバネ部品４を用いて固定可能である。シース７はシール板３に当たるようになっている。
【００３０】
この実施例では、弓型取手と支持ウェブを調理容器の鋳付け部分に取り付けるめんどうを避けることができる。その際、公知の弓型取手とは異なり、鋳造工程中に保持金具が押し流されることはない。
【００３１】
シール板３は、鋳型の一部となり、少なくとも部分的に取手金具１１が捉えるべき支持ウェブ２のその他領域へ鋳物塊が流入することを防ぐ。また、前記シール板３は、少なくとも１つの孔３ｂを有し、その中へ前記保持金具２１が前記孔３ｂをふさぎながら導入されている。この孔３ｂおよび保持金具２１の十分な合致により、鋳物塊がシール板３のところで基本的に停止し、支持ウェブ２の他の不要な領域に達しない。
【００３２】
図３には、ストッパ２２ｄが見られるが、それらは端板２２ａと２２ｂに形成され、端板が孔３ａに押し込まれないようにする。他方、保持金具２１のシール板３への挿入後、端板２１ａと２１ｂに作られたいくつかの型付け片２１ｄは、シール板３がブロックし、特に取付部１１への保持金具21の鋳込み前に、それから再び離れないようにする（図２）。従って、保持金具２１と調理容器１とのきわめて堅固な結合が行なわれ、高度に負荷に耐え破壊を恐れる必要がない。
【００３３】
図１と２に示すように、シール板３の縁３ａが鋳物塊１０の角によって埋め込まれているので、シール板３の安定で形状の美しい誘導が行なわれる。
【００３４】
シール板３には、図４において最もよくわかる二つの孔３ｂがある。それらは、それらを通って貫通挿入される端板２１ａと２１ｂの断面に合致しているので、保持金具２１の鋳出しのとき鋳物塊１０が領域６に侵入する隙間が残らない。
【００３５】
端板２１ａと２１ｂの固定のため、それらの中に孔２１ｃが作られ、それらは鋳造の間、鋳物塊１０で満たされる。
【００３６】
本発明の取手固定部の第二実施例は、図面の図６から８に示される。詳細に説明された第一実施例に比較して、変更されたが同様の機能を有し、また新たに導入された個別部分は、簡単に線を引いて参照記号を付してある。そして、第一実施例と対応する部分には同一数に「’」を付してある。
【００３７】
この取手固定部が上記と異なるのは、特にシール板３をやめたことで、その場合、鋳型から引き出す支持ウェブ２’のシールのため鋳型に必要な費用が大きくならない。先の実施例とまったく同じようにここでも、支持ウェブ２’は、鋳型で適宜誘導される。
【００３８】
端板２１ａ’，２１ｂ’は、当該端板２１ａ’，２１ｂ’にほぼ直角に、調理容器１に対向するその前端面から角を曲げた保持片２１ｅ’を有しており、保持片２１ｅ’の平面法線が取手金具５の軸にほぼ平行である。保持片２１ｅ’は二次曲面（かぎ形状または皿形状など）として形成されている。
【００３９】
取付部１１’は、その前額面１１ｃ’上で取手金具５方向に、平らな取付け部分１１ｄ’を有しており、前記取付け部分１１ｄ’の円周縁がその上のシース７の誘導に使用され、前記シース７が取付け部分１１ｄ’に接するようになっている。
【００４０】
端板２１ａ’と２１ｂ’には、同様に孔２１ｃ’があり、それらが鋳物塊１０を板状の端板２１ａ’と２１ｂ’の両側で材料閉止的に相互に結合し、こうして支持ウェブ２’を取付部１１’のところで固定する。その効果は、端板２１ａ’と２１ｂ’で角を曲げた保持片２１ｅ’によりさらに改良される。それは、端板２１ａ’、２１ｂ’面から約９０°曲げられており、こうして同様に取付部１１’内の保持金具２１’の固定を強化する。保持片２１ｅ’はここでは平らに形成されているが、例えば丸くするなど、別の形にしてもよい。
【００４１】
取付部１１’は、取付部１１に比較してわずかに変更されている。その平らな、取手金具５に対向する前額面１１ｃ’上では、取手金具５が取付けられているとき円周縁に設置されたシース７のため、平らで平面の継ぎ足し部分１１ｄ’がある。
【００４２】
【発明の効果】
請求項１に係る調理容器（１）の取手固定部は、支持ウェブ（２，２’）が、調理容器（１）と一体の取付部（１１，１１’）と、前記取付部（１１，１１’）中に鋳込まれた保持金具（２１，２１’）とを有するとともに、鋳込み前に前記保持金具（２１）に固定され、前記取付部（１１）から前記取手金具（５）の覆わない前記支持ウェブ（２）の領域（６）を分離するように、前記取付部（１１）を前記取手金具（５）方向に制限するシール板（３）をさらに有していることを特徴としているので、支持ウェブを固定するために調理容器に別に鋳込む弓型取手を必要とせず、またそのような固定のために特別な工程も必要としないようになる。
【００４３】
請求項１の構成をさらに請求項２〜１３のようにすれば、さらに顕著な効果が得られる。
【図面の簡単な説明】
【図１】本発明による取手固定部の第一実施例の中心縦断面図である。
【図２】図１の部分切断平面図である。
【図３】本発明による支持ウェブの正面図である。
【図４】本発明による支持ウェブの側面図である。
【図５】本発明による支持ウェブの平面図である。
【図６】本発明の取手固定部の別の実施例の中心縦断面図である。
【図７】図６の実施例に属する支持ウェブの正面図である。
【図８】図６の実施例に属する支持ウェブの平面図である。
【符号の説明】
１  調理容器
１０  鋳物塊
１１，１１’  取付部
１１ａ，１１ｂ  縁面
１１ｃ’  前額面
１１ｄ’  継ぎ足し部分
１２  外側プロファイル
２，２’  支持ウェブ
２１，２１’  保持金具
２１ａ，２１ａ’  端板
２１ｂ，２１ｂ’  端板
２１ｃ，２１ｃ’  孔
２１ｄ  型付け片
２１ｅ’  保持片
２２  ボディ
２２ａ，２２ａ’  ウェブ板
２２ｂ，２２ｂ’  ウェブ板
２２ｃ  胴回り
２２ｄ  ストッパ
３  シール板
３ａ  縁
３ｂ  孔
４  ばね部品
５  取手金具
６  領域
７  シース
Ｒ  曲率半径
【図１】
0003586778.tif 000002
【図２】
0003586778.tif 000003
【図３】
0003586778.tif 000004
【図４】
0003586778.tif 000005
【図５】
0003586778.tif 000006
【図６】
0003586778.tif 000007
【図７】
0003586778.tif 000008
【図８】
0003586778.tif 000009